(57)【要約】【課題】紙上の情報と電子データとを確実に結びつけられる書類作成システムを提供する。【解決手段】演算装置は電子コンテンツを識別するための書類ＩＤと前記背景パターンとを割りつけて管理３３する。背景パターンと共に電子コンテンツの原稿情報が表された用紙１１０に、前記背景パターンを読み取るための読取手段１４と、前記読取手段が読み取った読取情報を前記演算装置２に転送する転送手段１３とを備える筆記部材４を用いて筆記することにより、前記読取情報のうち、前記背景パターンから電子コンテンツを特定し、背景パターンの動きにより筆跡を電子情報に変換して、当該付加情報を前記特定された電子コンテンツに付加する。【選択図】  図１
2004297709.tif 000002
【特許請求の範囲】
【請求項１】
演算装置に格納され背景パターンと共に用紙上に表された電子コンテンツに、筆記部材を用いて入力された電子情報である付加情報を当該電子コンテンツの原稿情報に付加する書類作成システムであって、
前記電子コンテンツを識別するための書類ＩＤと前記背景パターンとを割りつけて管理する背景パターン管理手段と、
前記筆記部材からの付加情報を受信する受信手段、及び前記受信手段が受信した付加情報を前記原稿情報に付加する編集手段とを演算装置に備え、
前記筆記部材は、電子コンテンツが印刷された用紙へ筆記を行うための記録材収容手段と、筆記対象となる用紙に記録された前記背景パターンを読み取るための読取手段と、前記読取手段が読み取った読取情報を前記演算装置に転送する転送手段とを備え、
前記背景パターン管理手段は、前記読取手段が読み取った読取情報のうち、背景パターンにより対応する書類ＩＤから電子コンテンツを特定し、
前記編集手段は、前記読取情報のうち、前記背景パターンの動きにより筆跡を電子情報に変換して、当該付加情報を前記特定された電子コンテンツの原稿情報に付加することを特徴とする書類作成システム。
【請求項２】
前記背景パターン管理手段は、前記電子コンテンツの印刷時において背景パターンを作成して、電子コンテンツと共に印刷することにより、背景パターンと前記書類ＩＤとを割りつけて管理することを特徴とする、請求項１に記載の書類作成システム。
【請求項３】
前記用紙に背景パターンが予め付されている場合において、前記電子コンテンツの印刷時に背景パターンを読み取る背景パターン読取手段と、前記読み取った背景パターンの情報を前記書類作成装置に転送する背景パターン転送手段とを備える印刷装置をさらに備え、
前記背景パターン管理手段は、当該印刷装置から送信された背景パターンを当該印刷している電子コンテンツとを割りつけて管理することを特徴とする、請求項１に記載の書類作成システム。
【請求項４】
前記用紙として、書き換え可能な表示媒体を使用する場合において、前記用紙に表される電子コンテンツを消去する消去装置をさらに備えており、
前記消去装置は、用紙に表示されている電子コンテンツを消去する際にその背景パターンを読み取る第２背景パターン読取手段と、前記読み取った背景パターンの情報を前記書類作成装置に転送する第２背景パターン転送手段とを備え、
前記背景パターン管理手段は、当該消去装置から送信された背景パターンと当該背景パターンに割りつけられている書類ＩＤとの対応付けを削除することを特徴とする、請求項１乃至３のいずれか１つに記載の書類作成システム。
【請求項５】
背景パターンと共に用紙上に表された電子コンテンツに、筆記部材を用いて入力された電子情報である付加情報を当該電子コンテンツの原稿情報に付加する書類作成システムに用いられる演算装置を、
前記電子コンテンツを識別するための書類ＩＤと前記背景パターンとを割りつけて管理する背景パターン管理手段、
電子コンテンツが印刷された用紙へ筆記を行うための記録材収容手段と筆記対象となる用紙に記録された前記背景パターンを読み取るための読取手段と前記読取手段が読み取った読取情報を前記演算装置に転送する転送手段とを備えた筆記部材からの付加情報を受信する受信手段、
前記受信手段が受信した付加情報を前記原稿情報に付加する編集手段、
として機能させることを特徴とする、書類作成プログラム。
【発明の詳細な説明】
【０００１】
【発明の属する技術分野】
本発明は、紙面に印刷した情報に付加情報を追加するための書類作成システム及び書類作成プログラムに関する。
【０００２】
【従来の技術】
現在のオフィスワークでは、パーソナルコンピュータ（ＰＣ）上で電子的に書類を作成し、それを紙出力して閲読・回覧などすることが一般的に行われている。モニタ上での書類作成は目が疲れるなどの理由から、電子的な書類作成を全てモニタに表示して行うのではなく、電子データを一旦紙に出力し、紙上で内容を確認し、紙に追記・修正を行った上で、この資料を参照しながら再度モニタ上で編集する、というステップで行われることが多い。このような書類作成方法では、紙上及びモニタ上で２回の作業が必要となり、不便であるし時間を要するという問題があった。また、再加工性、自動処理化、配布性、迅速性等といった電子データの持つ特徴が十分に活かされてないという問題もある。
【０００３】
このような問題を解決するため、特許文献１及び２に開示の通り、アノト社より、紙上に印字された位置検出用パターンを専用ペン（アノトペン）に設けた読み取り手段で読み取ってＰＣへ転送するというシステムが提案されている（特許文献１及び２参照）。この方法を用いると、紙上での修正が電子データへと直接反映され、モニタ上での編集作業が不要となる。
【０００４】
【特許文献１】
特表２００３−５００７７８号公報
【特許文献２】
特表２００３−５０８８３１号公報
【０００５】
【発明が解決しようとする課題】
しかし、この技術では、紙上での修正が電子データヘと直接反映されはするものの、複数のドキュメントが存在する場合、紙上での修正を反映させるべきドキュメントをユーザがいちいち指定する必要があった。紙上に書き込んだ情報は、単に電子データとして反映されるだけではなく、紙上に表示されている元の電子データに付加されるべきものであるところ、ユーザが付加情報を反映させたいと考えている元の電子データをユーザが自ら選択することが必要であり、手間を有していた。
【０００６】
そこで、本発明は、この紙上の情報と電子データとを確実に結びつけられる書類作成システムを提供することを第１の目的とする。また、目が疲れたりすることがなくユーザ及び環境の双方に優しい書類作成システムを提供することを第２の目的とする。
【０００７】
【課題を解決するための手段】
本発明は、上記技術的課題を解決するために、以下の構成の書類作成システムを提供する。
【０００８】
書類作成システムは、演算装置に格納され背景パターンと共に用紙上に表された電子コンテンツに、筆記部材を用いて入力された電子情報である付加情報を当該電子コンテンツの原稿情報に付加するものである。そして、前記電子コンテンツを識別するための書類ＩＤと前記背景パターンとを割りつけて管理する背景パターン管理手段と、前記筆記部材からの付加情報を受信する受信手段、及び前記受信手段が受信した付加情報を前記原稿情報に付加する編集手段とを演算装置に備え、前記筆記部材は、電子コンテンツが印刷された用紙へ筆記を行うための記録材収容手段と、筆記対象となる用紙に記録された前記背景パターンを読み取るための読取手段と、前記読取手段が読み取った読取情報を前記演算装置に転送する転送手段とを備え、前記背景パターン管理手段は、前記読取手段が読み取った読取情報のうち、背景パターンにより対応する書類ＩＤから電子コンテンツを特定し、前記編集手段は、前記読取情報のうち、前記背景パターンの動きにより筆跡を電子情報に変換して、当該付加情報を前記特定された電子コンテンツの原稿情報に付加する。
【０００９】
上記構成において、演算装置は、例えば、コンピュータなどを使用することができ、電子コンテンツの作成及び修正を行うための装置である。演算装置は、単独の装置で構成されている必要はなく、例えば、ネットワークで構成されており、電子コンテンツを別のコンピュータから立ち上げて、編集や修正を行うようにしてもよい。電子コンテンツは、それぞれを特定することができる書類ＩＤを有している。書類ＩＤは、例えば、電子コンテンツの保存場所やファイル名などの書誌情報によって電子コンテンツを特定する。
【００１０】
用紙に出力された時点における筆記前の情報である原稿情報が用紙に出力される場合には、当該用紙には、背景パターンが重ねて表されている。背景パターンは、書類ＩＤを特定するために、複数種類のパターンを備えており、例えば、アノト社が開発したアノトパターンなどを用いることができる。背景パターン管理手段は、当該背景パターンの種類に応じて書類ＩＤを割りつけて管理する。背景パターン管理手段は、演算装置又は筆記部材のどちらに設けられていてもよい。
【００１１】
当該電子コンテンツの原稿情報が出力された用紙に、筆記部材を用いて筆記する場合には、筆記部材の読取手段手段によって、背景パターンが読み取られ、その読取情報が必要に応じて演算処理されて演算装置に送信される。筆記装置と演算装置との間の情報の通信手段としては、例えば、ブルートゥースなどを用いた無線通信でもよいし、ケーブルを用いた有線通信でもよい。上述のパターン管理手段によって、最終的に背景パターンに基づいて特定される書類ＩＤから筆記された電子コンテンツが特定される。編集手段は、筆記部材の筆記に伴う背景パターンの動きにより筆跡を特定して、これを電子情報に変換して付加情報として、当該特定された電子コンテンツの原稿情報に付加する。
【００１２】
上記構成によれば、筆記部材での筆記と特定の電子コンテンツとを関連付けて特定することができることから、筆記部材による筆記を付加情報として、特定の電子コンテンツに付加させることができる。
【００１３】
本発明の書類作成システムは、具体的には以下のように種々の態様で構成することができる。
【００１４】
好ましくは、前記背景パターン管理手段は、前記電子コンテンツの印刷時において背景パターンを作成して、電子コンテンツと共に印刷することにより、背景パターンと前記書類ＩＤとを割りつけて管理する。
【００１５】
上記構成において、電子コンテンツの印刷時において背景パターンを作成する。作成された背景パターンは、背景パターン管理手段によって、書類ＩＤと関連付けられて管理される。したがって、筆記部材による筆記による付加情報を追加する電子コンテンツを特定することができる。
【００１６】
また、好ましくは、前記用紙に背景パターンが予め付されている場合において、前記電子コンテンツの印刷時に背景パターンを読み取る背景パターン読取手段と、前記読み取った背景パターンの情報を前記書類作成装置に転送する背景パターン転送手段とを備える印刷装置をさらに備え、前記背景パターン管理手段は、当該印刷装置から送信された背景パターンを当該印刷している電子コンテンツとを割りつけて管理する。
【００１７】
上記構成において、予め背景パターンが付されている用紙を用いる場合、印刷時に印刷装置により当該背景パターンを読み取り、この情報を制御装置に送信する。制御装置の背景パターン管理手段は、現在印刷されている電子コンテンツと転送された背景パターンの情報とを割りつけて管理する。当該電子コンテンツ印刷後の用紙に筆記部材を用いて筆記する場合において、筆記部材が読み取った背景パターンの情報に基づいて、制御装置に送信され、背景パターン管理手段によって付加情報を付加されるべき電子コンテンツが特定される。
【００１８】
前記用紙として、書き換え可能な表示媒体を使用する場合において、前記用紙に表される電子コンテンツを消去する消去装置をさらに備えており、前記消去装置は、用紙に表示されている電子コンテンツを消去する際にその背景パターンを読み取る第２背景パターン読取手段と、前記読み取った背景パターンの情報を前記書類作成装置に転送する第２背景パターン転送手段とを備え、前記背景パターン管理手段は、当該消去装置から送信された背景パターンと当該背景パターンに割りつけられている書類ＩＤとの対応付けを削除する。
【００１９】
上記構成において、書き換え可能な表示媒体としては、例えば、電子ペーパーなどを使用することができる。書き換え可能な表示媒体は、所定の処理を行うことにより表示されている情報を消去して、再度その媒体を用いることができるというものであり、本システムで使用すると紙資源の削減が可能になり、環境負荷が低減される。なお、消去装置は、例えば、印刷装置と共通の装置で構成されていてもよい。
【００２０】
電子コンテンツを消去する消去装置は、用紙に表示されている電子コンテンツの消去時において、表されている背景パターンを読み取り、その情報を演算装置に転送する。背景パターンの情報を読み取った演算装置は、当該用紙と電子コンテンツの割付を消去する。
【００２１】
上記構成によれば、電子コンテンツの消去により背景パターンと電子コンテンツの書類ＩＤとの対応付けがなくなったことが確認されると、当該対応付けを消去されるため、書類ＩＤの繰り返し利用が可能となる。
【００２２】
また、本発明は、背景パターンと共に用紙上に表された電子コンテンツに、筆記部材を用いて入力された電子情報である付加情報を当該電子コンテンツの原稿情報に付加する書類作成システムに用いられる演算装置を、前記電子コンテンツを識別するための書類ＩＤと前記背景パターンとを割りつけて管理する背景パターン管理手段、電子コンテンツが印刷された用紙へ筆記を行うための記録材収容手段と筆記対象となる用紙に記録された前記背景パターンを読み取るための読取手段と前記読取手段が読み取った読取情報を前記演算装置に転送する転送手段とを備えた筆記部材からの付加情報を受信する受信手段、前記受信手段が受信した付加情報を前記原稿情報に付加する編集手段、として機能させることを特徴とする、書類作成プログラムを提供する。
【００２３】
【発明の実施の形態】
以下、本発明の各実施形態に係る書類作成システムについて、図面を参照しながら説明する。
【００２４】
本発明の第１実施形態にかかる書類作成システム１は、書類を作成・編集するためのコンピュータ（以下、ＰＣと略記する場合がある。）２と、電子化された書類を用紙にプリントするためのプリンタ３と、用紙に筆記を行うための専用ペン４から構成される。プリンタ３は電子写真方式やインクジェット方式で用紙上にプリントを行うものであり、ＰＣ２からの指令により、本来プリントすべき書類画像（電子コンテンツ）に重ね合わせて、所定の背景パターンをも用紙１００上に出力する。
【００２５】
専用ペン４には、用紙上に印字される位置検出及び用紙にプリントされている電子データ特定用の背景パターンを読み取る機能が設けられており、用紙上に筆記を行うとともに、背景パターンを読み取り、無線等でＰＣへと転送する。専用ペン４は、図２に示すように、筐体１０の中にインクなどの記録材を収容するとともに筆圧を検知する圧力センサを備えたペン先１５、用紙上に記録されている位置検出用パターンを読み取るためのイメージセンサ等からなる光学モジュール１４、光学モジュール１４や圧力センサ１５からの情報に基づいて筆記内容の識別や用紙にプリントされた書類を特定するための書類ＩＤなどの認識に用いられる情報の処理などを司る処理部１２、ＰＣ２との通信を行うための通信モジュール１３、及びバッテリ１１を内蔵している。
【００２６】
記録材により電子コンテンツが印刷された書類１１０への筆記を行う際、筆記と同時に圧力センサによって筆記状態が認識され、光学モジュール１４によって背景パターンの読み取りが行われる。背景パターンは、当該書類の位置ごとに異なったパターンを有しているので、当該パターンを解析することにより、どの書類のどの位置に専用ペン４が位置しているのかを判別することができる。この解析は、専用ペン４の処理部１２により行われ、背景パターンと座標情報を筆圧情報とともに無線モジュールからＰＣ２へと転送する。
【００２７】
ＰＣ２は、専用ペン４から転送される背景パターン情報から筆記情報等を認識する。本実施形態では、背景パターンとして、アノト社が開発したアノトパターンを用いている。アノトパターンは、肉眼では見えないほど細かな模様であり、かつ模様の位置関係等を検知することで用紙内での位置を識別できるように配慮されたパターンである。アノトパターンはＡ４判で９７兆種類という非常に多くのパターンを有しているので、実使用上はアノトパターンと書類ＩＤが一義的に対応付けられているとみなすことができる。すなわち、ＰＣ単位や、アクセス可能なネットワーク単位で見れば、アノトパターンと書類ＩＤがほぼ一義的に対応付けられていると見なして差し支えない。
【００２８】
書類ＩＤは、ＰＣ単位で管理することも可能であるが、ネットワーク単位で管理するようにしてもよい。ネットワーク単位で管理することにより、グループ内での書類の管理が可能となる。ネットワーク単位で管理する場合、使用した書類ＩＤ及びＩＤ−書誌情報の関連付けを複数のＰＣ間で交換・共有する機能を設けることが望ましい。
【００２９】
ＰＣ２は、専用ペンから送信される座標情報及び筆圧情報からペン先の位置と移動軌跡を把握し、どのような図形がどの位置に筆記されたかを認識することができる。また、専用ペン４から送信される情報により筆記の対象となっている電子データを特定することができる。
【００３０】
図３に示すように、ＰＣ２は、全体制御や判断を司る処理部２０、各種情報を記憶するための記憶部２１、編集データの表示などを行うための表示部２２、キーボードやマウスなどの入力部２３、プリンタ等へのデータ出力を行うための出力部２４、専用ペンや外部通信網との通信を行うための通信部２５を有する。記憶部２１は、ハードディスクドライブ２６、ＣＤドライブ２７、フロッピー（登録商標）ディスクドライブ２８などから構成され、ハードディスクドライブ２６に複数の電子データ３２と各種プログラムが記憶される。各種プログラムには、後述する書類ＩＤ−書誌情報割付処理を行うための書類ＩＤ−書誌情報割付プログラム３３、背景パターン生成プログラム３４、プリント情報生成プログラム３５、筆記情報追加プログラム３６が含まれる。各プログラムは、プログラムを記憶した記憶媒体を装着することにより、あるいは、通信網からの記憶部へのダウンロードによりＰＣ２内にインストールされる。
【００３１】
次に、図１、図４及び図５を参照して本書類作成システムの処理の流れについて説明する。なお、文中のアルファベットと＃番号はそれぞれ、図１中のアルファベットと図４，５のステップ番号に対応している。
【００３２】
ＰＣ２内には、一例として、データＡからデータＤまでの４つのファイル（電子コンテンツ）が格納されている。ユーザが、これらのファイルの中から所望のファイル（電子データＡ）を選択して、ＰＣ２に印刷指示をおこなう（＃１）（ａ）と、書類ＩＤがプリント用データに付与される（＃２）（ｂ）。また、その書類ＩＤに応じた背景パターンが生成される（＃３）（ｃ）。そして、コンテンツデータ（文字や画像など本来プリントされるべきデータ）と背景パターンデータとを合成し（＃４）、出力用言語への変換（＃５）を行った後、プリンタ３へプリント用データが出力される（＃６）。
【００３３】
プリンタ３はＰＣ２からプリント命令及びプリント用データを受信すると、用紙１００へのプリント（コンテンツ及び背景パターンが含まれる）を実行する（＃１０，＃１１）（ｄ）。
【００３４】
こうしてデータＡのコンテンツがプリントされた書類１１０上に、ユーザが修正や追記等を行う際（＃２０）（ｅ）、読取機能を備えた筆記具である専用ペン４を用いることにより、上記用紙に専用ペンで筆記した内容をＰＣへと転送することができる（ｆ）。そして、専用ペン４内部の処理部１２により、書類ＩＤと座標情報に分けられる（ｇ）。具体的には、圧力センサによって筆記状態が認識されると（＃２１）、光学モジュール１４によって背景パターンを読み取り（＃２２）、書類ＩＤと筆記によるペン先の移動軌跡を示す座標情報に判別し（＃２３）、読み取った情報を無線モジュール１３からＰＣ２ヘと転送する（＃２４）。
【００３５】
ＰＣ２は専用ペン４からデータを受信すると（＃３０）、書類ＩＤと筆記関連情報とに分割し（＃３１）、書類ＩＤと電子データの持つ書誌情報（ファイル名、保存ディレクトリ名、印刷日、バージョン、作成者など）とを関連付ける割付部（データベースなど）へ送って検索し（ｈ）、専用ペンから読み取られた背景パターンと対応付けられたファイル（ここでは電子データＡ）を特定する（＃３２）。特定された電子データに筆記情報が付加される（＃３３，＃３４）。こうして、書類１１０上での追記・修正・変更等が正確に元のファイルである電子データＡに反映される（ｉ，ｊ）。
【００３６】
図６は、本発明の第２実施形態にかかる書類作成システムの構成を示す図である。第２実施形態にかかる書類作成システム１ａは、第１実施形態の書類作成システム１とその処理を大略共通にするが、用紙として書き換え可能な表示媒体（ＲＰ）を使用する点が大きな相違点である。これに対応して、プリンタ５がＲＰへの記録及びＲＰの消去が可能なものに変更されている。ＲＰとしては、例えば、現在までに提案されている各種の繰り返し使用可能な表示媒体が使用できる。例えば、特開２００１−１０９１８３号公報に記載される非定着式表示媒体、特開２００１−２９０１７９号公報等に記載される粒子移動型表示媒体、などを使用することができる。これらの表示媒体上での追記・修正等が終了した後にＲＰ上の画像を消去することで、ＲＰを再利用することができる。したがって、用紙の使用量を削減でき、環境負荷低減に寄与することができる。
【００３７】
本実施形態にかかる書類作成システム１ａは、更に、プリンタ３自体に背景パターンを検知するための検知装置を設けている。そして、ユーザがＲＰ上の画像の消去を指示した場合、まずそのＲＰ上に記録されていた背景パターンを検出（ｎ）してＰＣに転送する。ＰＣ２には、その記憶部２１に「書誌情報」−「書類ＩＤ」の対応関係を削除する削除制御プログラムが追加されており、ＲＰ消去を行う際にプリンタ５から転送される書類ＩＤに基づいて、「書誌情報」−「書類ＩＤ」の対応関係を削除する（ｌ）。したがって、該当する書類ＩＤの再利用が可能となる。なお、本実施形態の変形例として、プリンタと消去器とを別個に設けてもよい。
【００３８】
上記実施形態によれば、繰り返し使用可能な表示媒体のようにパターンを消去することにより、消去された書類に付与されていた書類ＩＤを上記のようにして再利用することで、有限なアノトパターンを有効活用することができる。また、誤認識を防止することができる。
【００３９】
図７は、本発明の第３実施形態にかかる書類作成システムの構成を示す図である。第３実施形態にかかる書類作成システム１ｂは、第１実施形態の書類作成システムとその処理を大略共通にするが、相違点としては、プリンタ３ａとして、給紙された用紙１００に背景パターンがプリントされているかどうかを光学的に読み取って検出する検出手段を有するものを用いた点である。このようなプリンタ３ａを用いることで、プリンタから出力される用紙自体に初めから背景パターンが印刷されている場合（市販されている状態で既にアノトパターンが印刷されている用紙、いわゆるアノト紙を用いる場合）でも、本件で提案する書類管理システムに適応させることが可能となる。
【００４０】
ＰＣ２は、プリンタ３ａからアノトパターン等の背景パターンに関する情報が転送（ｎ）されると、該背景パターンのＩＤを特定し「書類ＩＤ」として設定する（ｇ）。そして、この書類ＩＤと「書誌情報」の関係を対応づける（ｈ）。この場合、これまで使用したＩＤと重複しないように考慮して書類ＩＤを付与できるシステムとすることが望ましい。
【００４１】
上記実施形態によれば、プリンタ３ａから出力される用紙自体に初めから背景パターンが印刷されている場合であっても、専用ペン４による筆記を反映すべき電子データを選択して付加することができる。
【００４２】
図８は、本発明の第４実施形態にかかる書類作成システムの構成を示す図である。第４実施形態にかかる書類作成システム１ｃは、第１実施形態の書類作成システムとその処理を大略共通にするが、相違点としては、背景パターン（アノトパターン）が印字された用紙のパターンを読み取り、その内容を制御部へと転送し、「書類ＩＤ」と「書誌情報」との関連付けを消去することができる紙廃棄手段を設けた点である。具体的には、第１実施形態において、用紙１１０に背景パターンがプリントされているかどうかを検出する検出部を有するシュレッダ装置６が追加され、さらに、ＰＣ２には第２実施形態で説明したような「書誌情報」と「書類ＩＤ」との対応関係を削除する削除制御プログラムが追加されており、ＲＰ消去を行う際にプリンタ３ｂから転送される書類ＩＤに基づいて、「書誌情報」と「書類ＩＤ」との対応関係を削除する機能が追加されている。
【００４３】
繰り返し使用不可の普通紙において、消去・廃棄を行う際には、シュレッダやに投入して用紙を廃棄する場合にその背景パターンを検知し（ｎ）、この情報をＰＣに通知することにより、「書類ＩＤ」と「背景パターン」との関連付けが消去される。したがって、本実施形態のように、用紙１００の廃棄に伴って、当該廃棄された用紙に表された電子データの「書類ＩＤ」と「背景パターン」との関連付けを消去することができるので、第２実施形態のようなリライタブルペーパを用いたシステムと同様に、背景パターンの有効利用および誤認識の防止が可能となる。
【００４４】
なお、本実施形態の変形例として、シュレッダの代わりに、用紙を焼却や溶解等により完全に廃棄するまでの間に一時的に保管する保管庫を用いてもよく、当該保管庫に書類を投入したときにその背景パターンを読み取るように構成してもよい。
【００４５】
以上説明したように、上記各実施形態にかかる書類作成システムによれば、用紙上にプリントされた電子データのコンテンツに対して用紙上で加えられた変更が、正確に元の電子データに直接反映される。
【００４６】
なお、本発明は上記実施形態に限定されるものではなく、その他種々の態様で実施可能である。
【００４７】
例えば、背景パターンから、書類ＩＤの変換（図１（ｇ））は、ＰＣ上で行ってもよい。すなわち、本実施形態にかかる書類作成システムは、専用ペンで背景パターンから書類ＩＤを特定し、ＰＣでその書類ＩＤから電子コンテンツを特定するように構成されているが、これらの処理をすべてＰＣで行うようにしてもよい。すなわち、専用ペンからは、背景パターンの情報が送信され、これを受信したＰＣが書類ＩＤを特定して電子コンテンツを特定する。また、同様に用紙の位置情報の特定もＰＣで行うようにしてもよい。
【００４８】
異なる電子データに対して書類ＩＤを重複して割りつけてもよい。このように書類ＩＤを重複させることで、例えば、複数のユーザがそれぞれ用紙に書類をプリントし、各々が行った修正や追記を同じ書類に付加することが可能となる。また、使用する背景パターンの種類数を減らすことができる。このときの書誌情報の例としては、出力日時、バージョン情報などが挙げられる。書類ＩＤを重複可能とすることにより、打ち合わせの参加者全員が同じパターンを持っていれば、同じ書類に書き込むことが可能となる。したがって、グループで書類を用いて打合せをする場合、同種の書類に複数のユーザがそれぞれ書きこみを行う場合等においても、用紙上で加えられた変更が、正確に元の電子データに直接反映される。
【００４９】
使用する専用ペンに固有のＩＤを持たせるようにして、ＰＣ側で使用されたペンを識別するようにしてもよい。このような構成によれば、例えば、誰が書いた付加情報か（情報の所有者）を明らかにすることができる。
【００５０】
専用ペンによる筆記情報の追加以外にも、情報の追加方法としては、画像情報の追加や、ＯＣＲなどによる文字情報としての追加などが可能である。
【００５１】
また、表示媒体として、例えば、（１）ＩＣタグを持ち媒体のＩＤが特定可能、（２）追記が可能、（３）追記した内容が圧力センサなどで検出可能、（４）追記した内容をＰＣに転送可能という機能を持つものを使用してもよい。
【図面の簡単な説明】
【図１】本発明の第１実施形態にかかる書類作成システムの構成を示す図である。
【図２】図１の書類作成システムの専用ペンの構成を示す図である。
【図３】図１の書類作成システムのコンピュータの構成を示す図である。
【図４】図１の書類作成システムの制御フローを示す図である。
【図５】図１の書類作成システムの制御フローを示す図である。
【図６】本発明の第２実施形態にかかる書類作成システムの構成を示す図である。
【図７】本発明の第３実施形態にかかる書類作成システムの構成を示す図である。
【図８】本発明の第４実施形態にかかる書類作成システムの構成を示す図である。
【符号の説明】
１  書類作成システム
２  コンピュータ
３，３ａ，３ｂ  プリンタ
４  専用ペン
５  プリンタ兼イレーサ
６  シュレッダ
１０  筐体
１１  バッテリ
１２  処理部
１３  通信部
１４  光学モジュール
１５  圧力センサ及びインク
【図１】
2004297709.tif 000003
【図２】
2004297709.tif 000004
【図３】
2004297709.tif 000005
【図４】
2004297709.tif 000006
【図５】
2004297709.tif 000007
【図６】
2004297709.tif 000008
【図７】
2004297709.tif 000009
【図８】
2004297709.tif 000010